(57)【特許請求の範囲】
【請求項１】
並列して張り渡された多数の弦である低音部弦と、前記低音部弦のうちのハンマーヘッドで叩かれない部分とそれらのうちのハンマーヘッドで叩かれない部分とが交差するように重ねあわせ、且つ前記低音部弦と前後差を設けて並列して張り渡された多数の弦である中高音部弦とを備えている、ピアノのアクションであって、
前記低音部弦のそれぞれを叩くハンマーヘッドでありハンマーウッドとハンマーフェルトとを含む低音部ハンマーヘッドと、前記中高音部弦のそれぞれを叩くハンマーヘッドでありハンマーウッドとハンマーフェルトとを含む中高音部ハンマーヘッドとを有しており、
前記低音部ハンマーヘッドに含まれる前記ハンマーヘッドと、前記中高音部ハンマーヘッドに含まれる前記ハンマーヘッドとは、その長手方向の長さが同じとされている、
アクション。
【請求項２】
前記低音部ハンマーヘッドと、前記中高音部ハンマーヘッドとはともに、低音側のもの程それに含まれるハンマーフェルトの量が多くされている、
請求項１記載のアクション。
【請求項３】
前記ピアノはアップライトピアノであり、
前記低音部ハンマーヘッドに含まれる前記ハンマーウッドは、ハンマーシャンクと接続される部分よりも後端側の部分の平面視した場合の幅が、ハンマーフェルトで覆われる部分の幅よりも細くなるようにされている、
請求項１記載のアクション。
【請求項４】
前記低音部ハンマーヘッドに含まれる前記ハンマーウッドと、前記中高音部ハンマーヘッドに含まれる前記ハンマーウッドはともに、ハンマーシャンクと接続される部分よりも後端側の部分の平面視した場合の幅が、ハンマーフェルトで覆われる部分よりも細くなるようにされている、
請求項３記載のアクション。
【請求項５】
請求項１〜４のいずれかに記載のアクションを含んでいる、
アップライトピアノ。
【請求項６】
請求項１又は２に記載のアクションを含んでいる、
グランドピアノ。
【発明の詳細な説明】
【技術分野】
【０００１】
本発明は、ピアノのアクションに関する。
【背景技術】
【０００２】
ピアノは多数の弦を備えており、各弦を叩いて発音を行うための構造を備えている。それは広く知られているように、アクションと呼ばれる。
ピアノのアクションは、演奏者がピアノの鍵を押したときに、その鍵の動作をハンマーヘッドに伝える。演奏者がピアノの鍵を押すとその動きはハンマーヘッドに伝えられ、ハンマーヘッドは弦に向かって進んで結果的に弦を叩く。それによりピアノは発音するのである。ピアノのアクションは長い歴史の中で様々な目的のために改良されてきているが、ハンマーヘッドが弦を叩くことにより発音するというピアノの発音の原理は、ピアノの長い歴史の中でも変わっていない。
ピアノには、多数の弦がピアノで発音させる音階の数だけ横並びで設けられる。鍵、ハンマーヘッド、及びそれらを繋ぐアクションはそれぞれ、各弦を打つために、各弦と対応付けられ、弦と同数だけ、横並びの状態でピアノに設けられる。基本的にはハンマーヘッドは、両隣のものと同じ間隔を空けた状態で、横並びに配列される。
【０００３】
ピアノは、グランドピアノとアップライトピアノに大別することができる。これらの特性には一長一短があるものの、設置に要するスペースが狭い、重量が軽い、値段が安いという点ではアップライトピアノが優れており、普及の台数という点ではアップライトピアノがグランドピアノを凌駕している。
とはいえ、鍵の連打性、タッチ感、音などについては一般に、アップライトピアノはグランドピアノに劣るとされており、その点についてはアップライトピアノには未だに改良の余地があるというのがピアノ業界における一般的な理解である。
【０００４】
ところで、本願発明者は、グランドピアノにおいてもアップライトピアノにおいても、そのタッチ感に、それらをどのように調律しても取去ることのできない違和感が存在することに気がついていた。
【発明の概要】
【発明が解決しようとする課題】
【０００５】
本願発明者は、その原因の１つに、グランドピアノとアップライトピアノにおいて多く採用されている交差弦の存在があると見ている。
交差弦とは以下のようなものである。
まず、アップライトピアノを例として説明する。アップライトピアノは、多数の弦を有している。弦は、背面板の手前側（演奏者側）に、より正確には、背面板の手前側に配される響音板の手前側に、縦方向で並列に張り渡される。交差弦を採用する場合、弦は、その長さを稼ぐために斜めに張り渡されている。一般的には、演奏者から見て向かって左側の低音部の所定本数の弦は右下がりに、向かって右側の中高音部の残りの弦は左下がりに、それぞれ張り渡されている。右下がりの弦（本願ではこれを「低音部弦」と呼び、低音部弦と対応付けられたハンマーヘッド、鍵等を、場合により「低音部ハンマーヘッド」、「低音部鍵」等と称することとする。）と左下がりの弦（本願ではこれを「中高音部弦」と呼び、中高音部弦と対応付けられたハンマーヘッド、鍵等を、場合により「中高音部ハンマーヘッド」、「中高音部鍵」等と称することとする。）とはハンマーで叩かれることのないそれらの下方の部分で正面から見て交差しており、右下がりの弦が演奏者側に位置するというのが、一般的な交差弦の配置である。
同様にグランドピアノにおいても交差弦が採用されている。グランドピアノの場合には、多数の弦は、横並びで、水平方向に張り渡される。グランドピアノにおいては、低音側の弦は奥に向かうに連れてやや右側に寄るように（本願ではこれも「低音部弦」と呼び、低音部弦と対応付けられたハンマーヘッド、鍵等を、場合により「低音部ハンマーヘッド」、「低音部鍵」等と称することとする。）、中高音側の弦は奥に向かうに連れてやや左側に寄るように（本願ではこれを「中高音部弦」と呼び、中高音部弦と対応付けられたハンマーヘッド、鍵等を、場合により「中高音部ハンマーヘッド」、「中高音部鍵」等と称することとする。）なっている。
グランドピアノにおいては、低音部弦と、中高音部弦とは、前者が上側に、後者が下側にそれぞれ位置し、それらのうちのハンマーで叩かれることのない部分が平面視した場合に交差するようになっている。
【０００６】
アップライトピアノ、グランドピアノで採用される交差弦はピアノの世界では最早当たり前の技術であり、それがタッチ感に悪い影響を与えているということは、そもそも今まで話題にされることもそれ程なく、当然にその解消方法も提案されていない。
【０００７】
本願発明は、交差弦を採用したピアノのタッチ感を良くするように改良することをその課題とする。
【課題を解決するための手段】
【０００８】
交差弦を採用したピアノ（グランドピアノとアップライトピアノとの双方を含む）でタッチが悪くなる原因の１つを本願発明者は以下の点に求めた。
その原因についての説明を以下行うが、まず、交差弦が採用されたアップライトピアノの構造についてのより詳細な説明から始める。
【０００９】
アップライトピアノには、上述したように、その下方で交差するようにされた横並びの多数の弦が存在する。そして、それら多数の弦の手前側に、多数のハンマーヘッドが並列して並べられる。図１０に示したように、ハンマーヘッド３５は、ハンマーウッド３４とその前側の端部（本願発明で、アップライトピアノについて、単に前後というときは、前後は演奏者の頭部の前後の向きに倣うものとする。）の上下を覆うハンマーフェルト３６と、により構成されている。なお、本願では、ハンマーウッドとハンマーフェルトを併せたものがハンマーヘッドである、と定義する（グランドピアノのハンマーヘッドの定義も同様である。）。
ところで、上述したように、アップライトピアノの弦９０のうち、低音部弦９０Ｌは演奏者から見て手前側に、中高音部弦９０Ｒは演奏者から見て奥側に位置している。初期状態におけるハンマーヘッド３５の先端から弦９０までの距離は、鍵を同じように操作した場合におけるハンマーヘッドが弦に到達するまでの時間が一定である必要がある。そのため、初期状態におけるハンマーヘッド３５の先端は、低音部弦９０Ｌと中高音部弦９０Ｒの前後の位置に併せて、低音部弦９０Ｌを叩く低音部ハンマーヘッド３５Ｌの先端が、中高音部ハンマーヘッド３５Ｒの先端よりも、演奏者から見て手前側に位置するようにされる。
【００１０】
ところで、図１０に示したように、低音部ハンマーヘッド３５Ｌと、中高音部ハンマーヘッド３５Ｒとでは、上述のようにその前端の前後の位置が異なるが、他方、低音部ハンマーヘッド３５Ｌと、中高音部ハンマーヘッド３５Ｒの後端は、平面視したときに鍵に平行に一列に揃うようにされる。つまり、低音部ハンマーヘッド３５Ｌの方が、中高音部ハンマーヘッド３５Ｒよりも、その前後方向の長さが短い。多数のハンマーヘッド３５の後端は、平面視したときに一列に揃うようにされている。
その理由は定かではないが、アップライトピアノで交差弦が採用されて以来長い時間が経つが、歴史上、そのような構成が踏襲されて来ている。そのような構成が長い間採用されてきた理由を推測するのであれば、ハンマーヘッド３５の後端に凹凸が生じないという見栄えの良さを重視したことと、大きく傾けられる低音部弦９０Ｌを叩くため１５°程度傾けられる低音部ハンマーヘッド３５Ｌにおいては、その後側の部分を中高音部ハンマーヘッド３５Ｒと同程度長くすると、ある低音部ハンマーヘッド３５Ｌが低音部弦９０Ｌを打つために進行しようとしたときに、その両隣の低音部ハンマーヘッド３５Ｌと干渉するおそれがあることが、その理由だと思われる。
【００１１】
上述の如きハンマーヘッド３５の構成について、本願発明者は疑問を持った。
低音部ハンマーヘッド３５Ｌと中高音部ハンマーヘッド３５Ｒとの後端を揃えるために、上述したように、低音部ハンマーヘッド３５Ｌは中高音部ハンマーヘッド３５Ｒよりもその前後方向の長さを短くされる。その前後方向の長さの差は、低音部ハンマーヘッド３５Ｌの前端を中高音部ハンマーヘッド３５Ｒの前端よりも下げる距離、又は低音部弦９０Ｌと中高音部弦９０Ｒの前後の距離に一致する。低音部ハンマーヘッド３５Ｌと、中高音部ハンマーヘッド３５Ｒとの長さの差により、両者の間には重量差が生じる。
この重量差が、交差弦を採用したアップライトピアノの音とタッチに悪影響を与える原因となっているのではないかと、本願発明者は考えた。
一般に、ハンマーヘッド３５に含まれるハンマーウッド３４に取付けられるハンマーフェルト３６の量は、低音部ハンマーヘッド３５Ｌ、中高音部ハンマーヘッド３５Ｒを通して、演奏者から見て左側の低音側のハンマーウッド３４に取付けられるもの程順に多くされる。それは低音を出すために低音を発生する弦を叩くハンマーヘッド３５ほど重量が求められるからである。一般に、弦楽器に限らず打楽器においても、低音を鳴らすために用いられる打撃用の器具（例えば、ドラムに対するスティック）も、低音を発することを意図する場合にはその重量が大きいものが用いられる。
ハンマーヘッド３５の重量についてのかかる原則があるにもかかわらず、アップライトピアノのハンマーヘッド３５においては、ハンマーフェルト３６によって低音側程ハンマーヘッド３５を重くする工夫を行う一方で、低音部ハンマーヘッド３５Ｌの方が、中高音部ハンマーヘッド３５Ｒよりも、その前後方向の長さが短いことにより、少なくとも低音部ハンマーヘッド３５Ｌの一部は、中高音部ハンマーヘッド３５Ｒの一部よりも軽くなってしまっている。つまり、低音部側から高音部側に向けて徐々に軽くなっていくべきハンマーヘッド３５の序列に、狂いが生じている。
これでは、演奏者が、アップライトピアノから良いタッチ感を得られないのも当然である。低音部ハンマーヘッド３５Ｌ、中高音部ハンマーヘッド３５Ｒそれぞれの範疇の中では、ハンマーフェルト３６の量の違いにより低音側程ハンマーヘッド３５が重くなるが、低音部ハンマーヘッド３５Ｌと中高音部ハンマーヘッド３５Ｒの境目においては、その狂いを調節しようがない。
以上が、アップライトピアノから得られるタッチ感が悪くなる理由の１つとなっていることを、本願発明者は看破した。
【００１２】
同様の現象がグランドピアノにも生じている。グランドピアノにおける低音部弦は、上述したように、中高音部弦より上側にある。グランドピアノにおいては、ハンマーは弦を下から叩く。したがって、アップライトピアノの場合とは逆に、低音部弦は本来、中高音部弦よりも静止状態のハンマーから遠い位置にある。
しかしながらグランドピアノにおいても、ハンマーの先端から弦までの距離を一定にするため、低音部弦を叩く低音部ハンマーヘッドは、中高音部弦を叩く中高音部ハンマーヘッドよりも前方にせり出させている。
そして、グランドピアノにおいては、アップライトピアノとは逆に、低音部ハンマーヘッドの長さを、中高音部ハンマーヘッドの長さよりも長くすることで、低音部ハンマーヘッドと、中高音部ハンマーヘッドの後端の位置を一列に揃えている。
低音側程ハンマーヘッドを重くすべき事情はグランドピアノにおいても同じであり、ハンマーフェルトの量を変更することによりそれを達成するという工夫はグランドピアノでも行われているが、低音部ハンマーヘッドと中高音部ハンマーヘッドとの境目では、飛躍的にその重量が変わるようになっているというのが、グランドピアノにおける現状である。そして、これがグランドピアノのタッチ感を悪化させる原因の少なくとも１つとなっていると、本願発明者は考えている。
以下に説明する発明は、本願発明者が得たこの知見に基づくものである。
【００１３】
以上の知見に基づき本願発明者が提案するのは、並列して張り渡された多数の弦である低音部弦と、前記低音部弦のうちのハンマーヘッドで叩かれない部分とそれらのうちのハンマーヘッドで叩かれない部分とが交差するように重ねあわせ、且つ前記低音部弦と前後差を設けて並列して張り渡された多数の弦である中高音部弦とを備えている、ピアノのアクションである。ここで言うピアノには、グランドピアノとアップライトピアノの双方が含まれる。また、低音部弦と、高音部弦との前後差とは、アップライトピアノにおいても、グランドピアノにおいても、ハンマーの軌道上の前後を意味し、アップライトピアノにおいては、弦の前後の位置の違い、グランドピアノにおいては、弦の上下の位置の違いを、それぞれ意味する。
そして、このアクションは、前記低音部弦のそれぞれを叩くハンマーヘッドでありハンマーウッドとハンマーフェルトとを含む低音部ハンマーヘッドと、前記中高音部弦のそれぞれを叩くハンマーヘッドでありハンマーウッドとハンマーフェルトとを含む中高音部ハンマーヘッドとを有しており、前記低音部ハンマーヘッドに含まれる前記ハンマーヘッドと、前記中高音部ハンマーヘッドに含まれる前記ハンマーヘッドとは、その長手方向の長さが同じとされている。
つまり、このアクションに多数含まれるハンマーヘッドは、低音部ハンマーヘッドに含まれるものであろうと、中高音部ハンマーヘッドに含まれるものであろうと、その長手方向の長さが等しい。これにより、従来の低音部ハンマーヘッドに含まれるハンマーウッドと中高音部ハンマーヘッドに含まれるハンマーウッドとの長さの相違により生じていた、低音側から高音側にかけてのハンマーヘッドの重量の変化の不自然さがなくなるため、ハンマーヘッドの重量の調節のためにハンマーヘッドに重りを仕込むなどの余計な手間やコストをかけることなく、ピアノのタッチ感の悪さを解消することができる。
また、低音部ハンマーヘッドと中高音部ハンマーヘッドとの重さを揃えることにより、それらに対応する鍵を演奏者が同じように押したときの両ハンマーヘッドの速さを揃えることが可能になるから、音のバラつきも抑えられ、このアクションを備えたピアノでは音が良くなることまでも期待できる。
なお、本願発明がアップライトピアノである場合、本願発明のアクションにおいても、従来技術と同様に、低音部ハンマーヘッドの前端は、高音部ハンマーヘッドの前端よりも後方に下がる。したがって、低音部ハンマーヘッドのハンマーウッドがハンマーシャンクと接続される位置は、中高音部ハンマーヘッドのハンマーウッドがハンマーシャンクと接続される位置よりも前側になる。それにより、低音部ハンマーヘッドのハンマーウッドの後端は、中高音部ハンマーヘッドのハンマーウッドの後端よりも後ろの位置で揃った状態となり、低音部ハンマーヘッドの後端と、中高音部ハンマーヘッドの後端が一列に揃わなくなるためそれらの見栄えは若干落ちることになる。しかし、見栄えについてのかかる不具合があったとしても、アップライトピアノに本来求められる良い音を良いタッチ感で鳴らすことができるという機能は圧倒的に本願発明によるアクションを備えたアップライトピアノが勝る。
また、本願発明がグランドピアノである場合、本願発明のアクションにおいても、従来技術と同様に、低音部ハンマーヘッドの上端は、中高音部ハンマーヘッドの上端よりも上方に位置することになる。したがって、低音部ハンマーヘッドのハンマーウッドがハンマーシャンクと接続される位置は、中高音部ハンマーヘッドのハンマーウッドがハンマーシャンクと接続される位置よりも下側になる。それにより、低音部ハンマーヘッドのハンマーウッドの後端は、中高音部ハンマーヘッドのハンマーウッドの下端よりも上の位置で揃った状態となる。グランドピアノにおいても、グランドピアノに本来求められる良い音を良いタッチ感で鳴らすことができるという機能の面では優れている。
【００１４】
本願発明のアクションでは、上述のように、低音部ハンマーヘッドと、中高音部ハンマーヘッドとは、その長手方向の長さが同じとされている。
前記低音部ハンマーヘッドと、前記中高音部ハンマーヘッドとはともに、従来と同様に、低音側のもの程それに含まれるハンマーフェルトの量が多くされていても良い。もちろん、低音部ハンマーヘッドと、中高音部ハンマーヘッドを通して、低音側のもの程それに含まれるハンマーフェルトの量が多くされていても良い。
ハンマーフェルトの量が相違してもハンマーウッドとハンマーフェルトからなるハンマーヘッドの長さを同じにするには、ハンマーウッドの長さを変えれば良い。従来のピアノにおいても、低音部ハンマーヘッドと中高音部ハンマーヘッドとのそれぞれにおいては、低音側のハンマーヘッド程その長さが短くなるようになっている。本願発明でもそれを踏襲することができる。
【００１５】
本願発明のピアノがアップライトピアノである場合、前記低音部ハンマーヘッドに含まれる前記ハンマーウッドは、ハンマーシャンクと接続される部分よりも後端側の部分の平面視した場合の幅が、ハンマーフェルトで覆われる部分の幅よりも細くなるようにされていてもよい。
これにより、アップライトピアノにおいて、低音部ハンマーヘッドに含まれるハンマーウッドの長さが従来よりも長くなったとしても、進行する低音部ハンマーヘッドが両隣の低音部ハンマーヘッドと干渉することを避けられるようになる。
なお、ここでいう「平面視」とは、ハンマーウッドを、ハンマーシャンクが取付けられた部分（面）の反対側から視た場合を意味するものとする。この場合の視線の向きは、必ずしもハンマーシャンクの長さ方向とは一致しない。
前記低音部ハンマーヘッドに含まれる前記ハンマーウッドと、前記中高音部ハンマーヘッドに含まれる前記ハンマーウッドはともに、ハンマーシャンクと接続される部分よりも後端側の部分の平面視した場合の幅が、ハンマーフェルトで覆われる部分よりも細くなるようにされていてもよい。
例えば、いずれの場合でも、低音部ハンマーヘッド又は中高音部ハンマーヘッドに含まれるハンマーウッドは、平面視した場合に、後方に行くにつれて先細るように構成されていても構わない。また、ハンマーウッドの形状は、平面視した場合にハンマーウッドの進行方向に対して左右対称とすることができる。
もっとも、アップライトピアノにおける低音部ハンマーヘッド及び中高音部ハンマーヘッドの形状を上述のようにすることには、弦に向かって進む低音部ハンマーヘッドの後側に乱流が生じるのを防ぐことにより、低音部ハンマーヘッドの軌道を安定させ、それにより低音部ハンマーヘッドが低音部弦を叩くことにより生じる音を安定させるという効果もある。かかる効果を狙うのであれば、アップライトピアノの低音部ハンマーヘッドと中高音部ハンマーヘッドのみならず、グランドピアノの中高音部ハンマーヘッドと低音部ハンマーヘッドの少なくとも一方においても、このような形状のハンマーヘッドを採用することが可能である。
【００１６】
本願発明者は、以上のアクションと同様の効果を生じるものとして、以上で説明したいずれかのアクションを含むアップライトピアノ又はグランドピアノをも、本願発明の一態様として提案する。
【図面の簡単な説明】
【００１７】
【図１】本願発明の第１実施形態におけるアップライトピアノの斜視図。
【図２】図１に示したアップライトピアノに含まれるアクションを示す側面図。
【図３】図１に示したアップライトピアノに含まれるアクションを示す側面図。
【図４（Ａ）】図１に示したアップライトピアノに含まれるアクションのハンマーヘッドの部分を拡大して示す斜視図。
【図４（Ｂ）】図１に示したアップライトピアノに含まれるアクションのハンマーヘッドの部分を拡大して示す、図４（Ａ）とは異なる角度からの斜視図。
【図４（Ｃ）】図１に示したアップライトピアノに含まれるアクションのハンマーヘッドの部分を拡大して示す、図４（Ａ）、（Ｂ）とは異なる角度からの斜視図。
【図５】図１に示したアップライトピアノのアクションに含まれる低音部ハンマーヘッドを含むハンマーの構成を示す（Ａ）平面図、（Ｂ）側面図、（Ｃ）背面図。
【図６】図１に示したアップライトピアノのアクションに含まれる中高音部ハンマーヘッドを含むハンマーの構成を示す（Ａ）平面図、（Ｂ）側面図、（Ｃ）背面図。
【図７】第２実施形態のグランドピアノの全体構成を概略的に示す平面図。
【図８】図７に示したグランドピアノに含まれるアクションを示す側面図。
【図９】図９に示したグランドピアノに含まれるアクションを示す側面図。
【図１０】従来のアップライトピアノの弦とハンマーを含む部分の斜視図。
【発明を実施するための形態】
【００１８】
以下、本発明の好ましい第１、第２実施形態を、図面を参照しながら詳細に説明する。
なお、各実施形態において重複する説明は必要に応じて省略するものとする。
【００１９】
≪第１実施形態≫
この実施形態では、ピアノがアップライトピアノである場合の構成について説明する。
もっともこの実施形態におけるアップライトピアノは、後述するそのハンマーヘッドにのみ特徴を有し、その構成を除いてすべて、従前のアップライトピアノとその構成を同じくする。
それ故、本来であれば、上述の従前のアップライトピアノとの相違点についての構成を除いて、アップライトピアノの構成について説明を行うまでもないが、一応アップライトピアノの全体的な構成についても説明を行う。
【００２０】
以下、本発明の一実施形態であるアップライトピアノの構成を説明していく。なお、以下の説明において、「時計回り」あるいは「反時計回り」というときは、図２から図３における時計回りあるいは反時計回りのことをいうものとする。
また、この実施形態の説明において、前後の概念はアップライトピアノに向かった演奏者の頭部の前後に倣うものとする。
【００２１】
図１に、アップライトピアノの概観を表した斜視図を示す。この図においては、アップライトピアノのアクションを隠すための化粧板であるいわゆる前パネルが外されている。
よく知られているように、アップライトピアノは横並びに配列された多数の鍵１を備えている。
また、アップライトピアノは、多数の弦９０を有している。鍵１と弦９０の数は同数である。多数の弦９０は、その長さを稼ぐために斜めに張り渡されている。向かって左側の所定本数の弦９０は図１で向かって右下がりに、向かって右側の残りの弦９０は図１で向かって左下がりに、それぞれ張り渡されている。右下がりの弦９０と左下がりの弦９０とはその下方で交差しており、右下がりの弦９０が図１における手前側に位置している。このような弦９０の張り渡し方は、交差弦と呼ばれ、極普通のものである。
図中３５がハンマーヘッドである。ハンマーヘッド３５は、鍵１及び弦９０と同数であり、横並びに配列されている。
左から順にならぶハンマーヘッド３５、鍵１、及び弦９０は、左からの順番が同じもの同士で対応付けられている。例えば、一番左の鍵１を押すと一番左のハンマーヘッド３５が一番左の弦９０を打ち、左から二番目の鍵１を押すと左から二番目のハンマーヘッド３５が左から二番目の弦９０を打つが如きである。
【００２２】
アップライトピアノの図１における一番奥側にアップライトピアノの筐体の一部をなす筐体板１０１が存在している。筐体板１０１の演奏者側つまり手前側には響板が配置されており、響板の後面に弦９０が取付けられている。
筐体板１０１の後側には、筐体板１０１を支持する柱１０２が立てられている。図１に示したように、左右の弦９０が交差する部分では、一連に並ぶハンマーヘッド３５の間に隙間ができている。また、図１に示したように、柱１０２が存在する部分でも、ハンマーヘッド３５の間に隙間ができている。これら２つがこのアップライトピアノのセクションＳ（セクションＳ１〜Ｓ３を併せて、セクションＳと称する。）の境界となる。このアップライトピアノは結局、３つのセクションＳ１〜Ｓ３を備えている。
柱１０２や弦９０の交差などの事情によりセクションＳは生じ、多くのアップライトピアノではその数は３から５である。この実施形態ではセクションＳは３つであるものとするが、これはこの限りではない。この実施形態では、セクションＳ１に属する弦９０が低音部弦９０Ｌであり、セクションＳ２及びセクションＳ３に属する弦９０が中高音部弦９０Ｒである。また、低音部弦９０Ｌを打つハンマーヘッド３５が低音部ハンマーヘッド３５Ｌであり、中高音部弦９０Ｒを打つハンマーヘッド３５が、中高音部ハンマーヘッド３５Ｒである。
各セクションＳに属するハンマーヘッド３５の隣接するハンマーヘッド３５の内側面と外側面は、すべて互いに平行である。
また、３つのセクションＳのうち、セクションＳ１に属するハンマーヘッド３５である低音部ハンマーヘッド３５Ｌのみ、その幅方向の中心の平面が、図１中左方向に傾いている。これはハンマーヘッド３５の配置のスペースを取るための工夫であり、最近のアップライトピアノの大半がこのような構成を採用している。
【００２３】
図２〜３にアップライトピアノのアクション７を示す。これら各図では代表して、一組の鍵１及び弦９０と、それらを繋ぐアクション７（ハンマーヘッド３５はアクションに含まれる。）のみを図示する。
【００２４】
鍵１は、その中央部が、筬３に立設されたバランスピン（図示せず）に、回転可能に支持されている。鍵１の図２等でその記載が省略されている、図２等の右側外に位置する記載の省略された後端を演奏者が押し込むと、鍵１の図２等で左側に位置する前端が、鍵１の全体がバランスピンを軸として行うシーソー運動によって持ち上げられるようになっている。
筬３の左右端部にはブラケット（図示せず）がそれぞれ形成されている。左右のこれらのブラケットの間には、センターレール４が架け渡されて固定されている。
鍵１の前端部上方にアクション７が形成されている。アクション７は、弦９０を打つための中心的な部材として、ウィッペン８、ジャック１８、バット２５、及びハンマー３２を有する。
【００２５】
ウィッペン８は、アップライトピアノの前後方向に伸びる部材であり、鍵１の前端が持ち上げられたときにその全体が持ち上げられるようになっている。ジャック１８は、側面視略Ｌ字型をした部材であり、ウィッペン８が持ち上げられたときに、それと一緒に上方に移動するようになっている。ウィッペン８の上端の後述する突き上げ部が、バット２５の後述する被突き上げ部を下から突き上げることにより、バット２５が回転するようになっており、バット２５が回転することにより、バット２５にその基端が固定されているハンマー３２が回転する、というのがハンマー３２が回転する理屈の要点である。
以下、詳述する。
【００２６】
上述したセンターレール４の下側には、ウィッペンフレンジ１０が設けられている。ウィッペン８はその前端寄りの所定の部位で、ウィッペンフレンジ１０に回転可能に軸支されている。ウィッペン８の前端部にはスプーン９が立設されている。
ウィッペン８はウィッペンフレンジ１０よりも後側におけるその下側にヒール１１を有しており、また、その上側にジャックフレンジ１２を有している。ジャックフレンジ１２は、ウィッペン８に対して回転可能として、ウィッペン８とジャック１８とを接続するためのものである。ウィッペン８のヒール１１は、鍵１の前端に固定されたキャプスタンボタン２を介して、鍵１の前端部の上に載っている。これにより、鍵１が持ち上げられたときに、キャプスタンボタン２を介してウィッペン８が持ち上げられるようになっている。
ウィッペン８の後端部には、バックチェックワイヤ１４が立設されており、その先端にバックチェック１５が取り付けられている。
また、ウィッペン８の更に後端部には、ブライドルワイヤ７１が立設されている。ブライドルワイヤ７１と、後述するキャッチャーとの間には、例えば紐又は帯であるブライドルテープ７２が、初期状態ではやや弛んだ状態で張り渡されている。
【００２７】
ジャック１８は、後方に突出するジャックテール１９と、ジャックテール１９の前端から上方向に延びる突き上げ部２０とを有し、ジャックテール１９と突き上げ部２０とが側面視で略Ｌ字型をなすようにされている。ジャックテール１９と突き上げ部２０とがなす角部において、ジャック１８はジャックフレンジ１２に回転可能に軸止されている。ジャックテール１９の後側の端部と、ウィッペン８のジャックフレンジ１２よりも後側の部分との間に、それらにその上端と下端が接続された状態で、ジャックスプリング１３が設けられている。
ジャックスプリング１３は、ジャックテール１９を上方に付勢することにより、ジャック１８に対して反時計回り方向に回転する力を加えるバネであり、通常はコイルスプリングである。
【００２８】
ジャック１８のジャックテール１９の上方に、レギュレーティングボタン４７が設けられている。レギュレーティングボタン４７は、レギュレーティングレール４８に螺合するレギュレーティングスクリュー４９の先端に支持されている。レギュレーティングレール４８は、アップライトピアノの幅方向の全長に渡って伸びる長尺の部材である。レギュレーティングレール４８はフォークスクリュー５０によりセンターレール４に固定的に取り付けられている。
【００２９】
ジャック１８の突き上げ部２０の後方に、アップライトピアノの幅方向の全長に渡って伸びる長尺の部材であるジャックストップレール５３がある。ジャックストップレール５３は、ジャックストップレールスクリュー５４によりセンターレール４に固定して取り付けられている。ジャックストップレール５３は、ウィッペン８が上昇するときに時計回りに回転するジャック１８の突き上げ部２０を受け止めることによりジャック１８の回転を中止させるものである。
【００３０】
ハンマー３２は、弦９０を打つためのものである。ハンマー３２の構成は、その基本的な構成としては従来のハンマーと同じで良く、この実施形態ではそうされている。ハンマー３２は、これには限られないがこの実施形態では、ハンマーフェルト３６を除いて木製である。以下ハンマー３２の構成について簡単に述べる。
ハンマー３２は、ハンマーシャンク３３とハンマーウッド３４と、ハンマーフェルト３６とを有している。ハンマーウッド３４は、ハンマーシャンク３３の上端から前方に延びる部材である。ハンマーフェルト３６は直接弦９０を打突する部材であり、ハンマーウッド３４の前端の上下を跨ぐようにしてハンマーウッド３４に取付けられている。ハンマーウッド３４とハンマーフェルト３６とを併せたものがハンマーヘッド３５である。
【００３１】
棒状体、より詳細にはこれには限られないがこの実施形態では断面円形の棒状体であるハンマーシャンク３３の基端は、バット２５に接続されている。バット２５は、その前側面の下の部分で、センターレール４の後側上部に設けられたバットフレンジ２６に回転可能に軸止されている。これによりバット２５は、回転可能となり、バット２５に接続されたハンマーシャンク３３を含むハンマー３２も回転可能となっている。バット２５は、その下側面に被突き上げ部２７を有している。被突き上げ部２７は、ジャック１８が上方向に移動したときに、ジャック１８の突き上げ部２０の上端によりその下側から突き上げられる部分である。ジャック１８の突き上げ部２０で被突き上げ２７を突き上げられることにより、バット２５は反時計回りに回転するようになっており、それに伴って回転するハンマー３２のハンマーヘッド３５が弦９０を打つようにされている。
バット２５の被突き上げ部２７には、革製のスキン７５が貼られている。バット２５の後側面の上部には、キャッチャーシャンク２８を介してキャッチャー２９が取り付けられている。キャッチャー２９は、上述したバックチェック１５との組合せにより、バット２５の回転を止めるものである。バット２５が初期位置にあるときには、キャッチャー２９はバックチェック１５から離れており、バット２５がジャック１８に突き上げられて反時計回りに回転し、それと同時にウィッペン８の後端が反時計回りに回転すると、キャッチャー２９はバックチェック１５に捕らえられる。その後ウィッペン８の全体が時計回りに回転しつつ下降することにより、その後端が時計回りに回転しながら大きく下がると、バックチェック１５に捕らえられたキャッチャー２９は、素早くバックチェック１５から離れて再び回転可能となるようになっている。バット２５の後側面のうちキャッチャーシャンク２８の付け根より下にある部分にも、例えば革製のスキン７６が貼られている。すなわち、バット２５において、被突き上げ部２７よりも後方側かつ上方側にある面にスキン７６が貼られている。スキン７５の後端とスキン７６の下端は連続しており、スキン７５とスキン７６とは結果として一体となっている。
バット２５の前側の面には、バットスプリング２５Ａが設けられている。バットスプリング２５Ａは、バット２５に対して常に、時計回りの力を与えるためのバネである。バットスプリング２５Ａからの力により、弦９０に向かってハンマー３２が回転するに際してハンマー３２とともに反時計回りに回転したバット２５は素早く元の位置に復帰するようになっている。
【００３２】
アクション７は、またダンパー３９を備えている。ダンパー３９は、弦９０の振動を静止するための機構である。
ダンパー３９は、ダンパーレバー４０、ダンパーワイヤー４３、ダンパーヘッド４４を有する。
ダンパーレバー４０は、その中央部で、センターレール４の前側上部に固定したダンパーフレンジ４１に回転可能に軸止されている。ダンパーレバー４０は、その後側面下端部が、スプーン９の先端と対向している。ダンパーヘッド４４は、ダンパーワイヤー４３を介してダンパーレバー４０の上端に取り付けられている。ダンパーヘッド４４は、ダンパーレバー４０に取り付けられたダンパースプリング４２から力を受けて弦９０に圧接するようになっている。
【００３３】
ハンマーシャンク３３の後方にハンマーストップレール５５があり、ダンパーワイヤー４３の後方にダンパーストップレール５６がある。ハンマーストップレール５５とダンパーストップレール５６は、アップライトピアノの左右に存在する前述のブラケットの間にそれぞれ架け渡されて固定されている。
【００３４】
次に、このアップライトピアノの使用方法、及び動作について説明する。
先ず、鍵１が休止状態にある場合について説明する（図２を参照）。鍵１が休止状態にある場合、鍵１の後端は最も上昇した位置にあり、鍵１の前端は最も下降した位置にある。そして、ウィッペン８も最も下降した位置にある。
ジャック１８の突き上げ部２０の突端は、バット２５の被突き上げ部２７の下に入って係合している。ジャックテール１９はレギュレーティングボタン４７から離れている。突き上げ部２０とジャックストップレール５３との間は離れている。
またこのとき、バット２５と接続されたキャッチャー２９は、最も下降した位置にあり、キャッチャー２９はバックチェック１５から離れている。ハンマーシャンク３３はハンマーストップレール５５に接した状態となっており、ハンマーヘッド３５及びハンマーウッド３４は弦９０から最も離れた位置にある。また、ダンパーヘッド４４はダンパースプリング４２の力により弦９０に圧接している。
【００３５】
次に、演奏者が鍵１を押鍵し、鍵１の後端部が休止状態の位置から最も押し下げられた位置まで下降する場合について説明する（図３を参照）。
演奏者が鍵１を下に押すと、鍵１が時計回りの方向に回転し、鍵１の前端部が上昇する。そうすると鍵１の前端部が、キャプスタンボタン２を介してウィッペン８のヒール１１を突き上げ、ウィッペン８がウィッペンフレンジ１０を中心として反時計回りの方向に回転しつつ上昇する。
ウィッペン８が回転を開始すると、直ちに、ウィッペン８の後端に設けられたスプーン９がダンパーレバー４０の下端を前方に押し、ダンパーレバー４０がダンパーフレンジ４１を中心として時計回りの方向に回転するのに伴って、ダンパーヘッド４４が弦９０から離れる。これにより、弦９０は振動できる状態となる。
ウィッペン８の回転と上昇に伴って、ジャック１８がウィッペン８と共に上昇する。そしてジャック１８が上昇すると、ジャック１８の突き上げ部２０の上端が、バット２５の被突き上げ部２７を突き上げる。
【００３６】
突き上げ部２０の突端が被突き上げ部２７を突き上げた後も、ウィッペン８は上昇と反時計回りの回転とをし続ける。突き上げ部２０の突端が被突き上げ部２７を突き上げた後に、ジャックテール１９がレギュレーティングボタン４７に当たる。その後も、ウィッペン８は回転と上昇を続ける。そうすると、レギュレーティングボタン４７がジャックテール１９を上から押さえるので、ジャック１８がジャックフレンジ１２を中心として時計回りの方向に回転し、突き上げ部２０の突端が被突き上げ部２７の下から後方に離脱し、突き上げ部２０と被突き上げ部２７との係合が解除される。これをレットオフという。レットオフした突き上げ部２０は、ジャックストップレール５３に当接し、その回転を止める。
【００３７】
バット２５は、その被突き上げ部２７をジャック１８の突き上げ部２０によって突き上げられた反動により、バットフレンジ２６を中心として反時計回りの方向に回転を開始する。それに伴い、バット２５と接続された、ハンマー３２が反時計回りの方向に回転する。ハンマー３２が回転すると、ハンマーヘッド３５は弦９０に向かって進む。そして、ハンマーヘッド３５は弦９０を打つ。弦９０は、ハンマーヘッド３５のハンマーフェルト３６が衝突して振動することにより、音を発する。
【００３８】
ハンマーウッド３４が弦９０を打った後、ハンマー３２は反転して時計回りの方向に回転する。そして、キャッチャー２９がバックチェック１５に捕まり、ハンマー３２は停止する。このとき、鍵１の後端は休止状態の位置から最も下降しており、鍵１の前端は休止状態の位置から最も上昇している。また、突き上げ部２０の突端は、被突き上げ部２７よりも上方にあり、スキン７６の後側に位置している。
【００３９】
次に、演奏者が鍵１を離鍵し、鍵１の後端部が最も押し下げられた位置から上昇する場合について説明する。
演奏者が鍵１を離鍵すると、鍵１が反時計回りの方向に回転し、鍵１の前端部が下降を開始する。鍵１の前端部が下降すると、ウィッペン８が、時計回りの方向に回転しつつ下降する。ウィッペン８が下降を開始すると、直ちに、キャッチャー２９がバックチェック１５から離れ、ハンマー３２は回転可能になる。
【００４０】
鍵１の後端部が最も押し下げられた位置から休止状態の位置に向かってある程度戻ると、ジャックテール１９はレギュレーティングボタン４７に接するだけとなり、レギュレーティングボタン４７がジャックテール１９を上から押さえつける力がなくなる。そうすると、元々常にジャック１８に対して反時計回りの力を与えているのに加えて、その撓みが大きくなったジャックスプリング１３は、ジャック１８に反時計回りで回転するような力をより大きく与える。これによりジャック１８は、再びバット２５の被突き上げ部２７の下へと戻っていく。
他方、ハンマー３２及びそれと接続されたバット２５はバットスプリング２５Ａがバット２５に与える力と、ブライドルテープ７２に入った張力によりキャッチャー２９が引き戻される力とにより、時計回りに回転し元の位置に戻る。ハンマー３２及びバット２５が元の位置に戻るのと前後して、バット２５の被突き上げ部２７の下に、ジャック１８の突き上げ部２０が戻って、それらが再係合する。
【００４１】
突き上げ部２０の突端が被突き上げ部２７の下に入り、ジャック１８とバット２５が係合すると、演奏者は、離鍵した鍵１を再び押鍵し、ウィッペン８を介して、突き上げ部２０により被突き上げ部２７を突き上げることができる。
つまり、同じ鍵１の後端を押すことにより再度音を出せる状態となる。
【００４２】
以上説明したのは、極普通のアップライトピアノの構成であり、その使用方法及び動作である。
以下、この実施形態のアップライトピアノの従前のアップライトピアノとは異なる構成を有する部分であるそのハンマーヘッド３５について、詳しく説明する。
この実施形態のアップライトピアノに含まれるアクションに装着されたハンマー３２の特にハンマーヘッド３５に相当する部分の拡大斜視図を図４（Ａ）、（Ｂ）、（Ｃ）に示す。また、ハンマーヘッド３５のうちの低音部ハンマーヘッド３５Ｌの平面図と側面図と背面図とを図５に、ハンマーヘッド３５のうちの中高音部ハンマーヘッド３５Ｒの平面図と側面図と背面図とを図６に、それぞれ示す。
この実施形態におけるハンマーヘッド３５は、上述のように、ハンマーウッド３４及びハンマーフェルト３６から構成されている。
【００４３】
まず、低音部ハンマーヘッド３５Ｌと、中高音部ハンマーヘッド３５Ｒとで、ハンマーウッド３４とハンマーフェルト３６の構成は共通する。まずこれらについて説明する。この実施形態では、すべてのハンマーヘッド３５において、それらの長手方向の長さが一致するようになっている。
低音部ハンマーヘッド３５Ｌには、上述のように、ハンマーウッド３４が含まれる。ハンマーウッド３４は、従来のハンマーウッド３４と同様に、その前端から後端までその幅が一定であり、その前方部分では、その上下方向の厚さが前端に近づくに連れ薄くなるようになっており、またその後方部分が角柱形状となっていても良い。
しかしながら、必ずしもこの限りではないが、この実施形態におけるハンマーウッド３４は、従来のハンマーウッド３４とは若干異なる形状となっている。この実施形態のハンマーウッド３４は、後述する後端側の平面視した場合にその幅が徐々に細くなっていく部分を除き、前方から当該部分まで平面視した場合のその幅が一定である。また、これには限られないが、この実施形態におけるハンマーウッド３４及びハンマーヘッド３５は、その長さ方向に走る仮想の中心線に対して対称、つまり左右対称に構成されている。
ハンマーウッド３４のその前方部分では、その上下方向の厚さが前端に近づくに連れ薄くなるようになっている。かかる部分の形状については、この実施形態のハンマーウッド３４は従来のハンマーウッド３４と同様で良く、この実施形態ではそうされている。その上下方向の厚さが前端に近づくに連れ薄くなるようになっている部分の前方側の一定の範囲は、その上下を跨ぐようにされたハンマーフェルト３６により覆われている。ハンマーフェルト３６も、従来のハンマーにおけるハンマーフェルト３６と同じで良い。ハンマーフェルト３６は、上述の部分のすべての部分を覆っても良いし、当該部分の後まで覆っても良いが、一般的には当該部分の前側の所定の範囲を覆っている。
これには限られないが、この実施形態におけるハンマーフェルト３６は、内側の内ハンマーフェルト３６Ａと、外側の外ハンマーフェルト３６Ｂの２層構造となっている。内ハンマーフェルト３６Ａ、外ハンマーフェルト３６Ｂともにフェルトでできているが、内ハンマーフェルト３６Ａの方が密度が高くなっている。ハンマーフェルト３６が、革等の他の素材でできていても良く、また他の素材を含んで多層構造となっていても良いことは従来と同様である。平面視した場合におけるハンマーフェルト３６の幅は、ハンマーフェルト３６が覆っている部分におけるハンマーウッド３４の幅に等しくなっている。
【００４４】
ハンマーウッド３４のその上下方向の厚さが前端に近づくに連れ薄くなるようになっている部分の直後から、後端までにおいて、その下部は平面状とされた底面が形成されている。また、ハンマーウッド３４のその上下方向の厚さが前端に近づくに連れ薄くなるようになっている部分の直後から、その後端の近くまでの部分においては、ハンマーウッド３４の上部には、平面状とされた上述の底面と平行な上面が形成されている。上述の底面は、ハンマーウッド３４に対するハンマーシャンク３３の固定をなすのに便利なため設けられたものである。ここに平面があれば、その平面に対するハンマーシャンク３３の取付け角度を調節するだけで、ハンマーシャンク３３に対するハンマーウッド３４の角度を決定できるようになるからである。
ハンマーウッド３４における上側の面は、ハンマーウッド３４の後端まで底面と平行な平面となっていても構わないが、この実施形態では、これには限られないが、その後端側の所定の範囲に、その後端に向かうに連れて下っていく僅かな傾斜が与えられている。かかる傾斜が与えられた部分は、平面でも良いがこの実施形態では滑らかな曲面である。
【００４５】
これには限られないが、この実施形態においては、ハンマーウッド３４のその上下方向の厚さが前端に近づくに連れ薄くなるようになっている部分の後しばらくは、その両側面は平面である。そこからある程度後に進んだ以降のハンマーウッド３４の後方の所定の範囲（例えば、ハンマーシャンク３３と接続される部分よりも後ろの所定の範囲）では、ハンマーウッド３４は、平面視した場合に、後端に向かうに連れて先細るように構成されている。平面視した場合に先細っていくその後方の所定の範囲における両側面は、平面でも良いし、曲面でも良いが、この実施形態ではいずれも、曲面であり、この実施形態ではやや外側に膨らむ滑らかな曲面とされている。曲面である両側面は、この限りではないが、すべての部分において、ハンマーウッド３４の上述の底面に垂直になっている。曲面である両側面は、ハンマーウッド３４の後端において鉛直な一本の辺となって交わる。その結果、この実施形態におけるハンマーウッド３４の後方の平面視して後ろに向かうに連れて先細って行く部分の形状は、平面視した場合に、飛行機の翼の断面形状の如き形状とされている。
なお、ハンマーウッド３４の後方の平面視して後ろに向かうに連れて先細って行く部分の前側の限界は、図示したよりも前、例えばハンマーフェルト３６に覆われた部分の直後にまで及んでいても構わない。
【００４６】
以上説明したハンマーウッド３４及びハンマーフェルト３６からなるハンマーヘッド３５に、ハンマーシャンク３３が接続される。
低音部ハンマーヘッド３５Ｌに含まれるハンマーウッド３４と、中高音部ハンマーヘッド３５Ｒに含まれるハンマーウッド３４とは、それらが低音部ハンマーヘッド３５Ｌと、中高音部ハンマーヘッド３５Ｒとのいずれに含まれるかの別なく、低音側のものの方が前後方向の長さが短くされている。かかる長さの相違は、ハンマーシャンク３３が接続される部分よりも前側の部分、例えば、上下方向の厚さが前端に近づくに連れ薄くなるようになっている部分の長さを変更することにより達成される。また、低音部ハンマーヘッド３５Ｌに含まれるハンマーフェルト３６と、中高音部ハンマーヘッド３５Ｒに含まれるハンマーフェルト３６とは、それらが低音部ハンマーヘッド３５Ｌと、中高音部ハンマーヘッド３５Ｒとのいずれに含まれるかの別なく、低音側のものの方が量が多くされている。結果として、この実施形態における低音部ハンマーヘッド３５Ｌと、中高音部ハンマーヘッド３５Ｒとは、その長手方向の長さがすべて等しくなっている。
低音部ハンマーヘッド３５Ｌでは、その底面のハンマーウッド３４のハンマーフェルト３６で覆われた部分のすぐ後側に、ハンマーシャンク３３が接続される。低音部ハンマーヘッド３５Ｌでは、ハンマーシャンク３３は側面視した場合にハンマーウッド３４の底面に垂直であり、背面視した場合にハンマーウッド３４の底面に傾けて取付けられる。低音部ハンマーヘッド３５Ｌは低音部弦９０Ｌの傾きに応じて傾けられるのが通常であるからである。なお、これは公知技術である。
他方、中高音部ハンマーヘッド３５Ｒでは、その底面の低音部ハンマーヘッド３５Ｌの場合よりも後ろ寄りの位置に、ハンマーシャンク３３が接続される。中高音部ハンマーヘッド３５Ｒでは、ハンマーシャンク３３は側面視した場合にも背面視した場合にもハンマーウッド３４の底面に垂直となるようにして、ハンマーウッド３４の底面に取付けられる。
低音部ハンマーヘッド３５Ｌに取付けられるものも、中高音部ハンマーヘッド３５Ｒに取付けられるものも、ハンマーシャンク３３は、これには限られないが断面円形の木製の棒である。ハンマーシャンク３３とハンマーウッド３４の固定は一般に、ハンマーウッド３４に図示を省略の穴を穿ち、ハンマーシャンク３３の上端をその穴に挿入した状態で接着することにより行われる。これには限られないが、この実施形態でもハンマーシャンク３３とハンマーウッド３４の固定はそのようにして行われている。
【００４７】
低音部ハンマーヘッド３５Ｌと、中高音部ハンマーヘッド３５Ｒとの間で、ハンマーウッド３４に対するハンマーシャンク３３の取付位置に前後差があるため、低音部ハンマーヘッド３５Ｌの先端は、低音部弦９０Ｌに平行に一列に揃い、中高音部ハンマーヘッド３５Ｒの先端は、中高音部弦９０Ｒに平行に一列に揃うが、低音部ハンマーヘッド３５Ｌの前端は、例えば図４（Ａ）に示したように、中高音部ハンマーヘッド３５Ｒよりも幾らか後ろに下がった状態となる。低音部ハンマーヘッド３５Ｌと、中高音部ハンマーヘッド３５Ｒの前後差の大きさは、交差弦をなす低音部弦９０Ｌと中高音部弦９０Ｒの前後差の大きさに一致する。なお、すべての低音部ハンマーヘッド３５Ｌの後端が結ぶ直線は、横並びにされた鍵１の後端が作る直線と平行であり、すべての中高音部ハンマーヘッド３５Ｒの後端が結ぶ直線も同様である。
ハンマーウッド３４を以上のようなものとしたので、低音部弦９０Ｌによる発音を求めて演奏者が鍵１を押して低音部ハンマーヘッド３５Ｌを回転させるときと、中高音部弦９０Ｒによる発音を求めて演奏者が鍵１を押して中高音部ハンマーヘッド３５Ｒを回転させるときとで、タッチ感の不連続な変化がない。
また、ハンマーフェルト３６を、低音側程量を増やして重くしておけば、ハンマーヘッド３５の重さは最も低音側のものが一番重く、高音側に向かうに連れて徐々に軽くなる。これによって、このアップライトピアノにより得られる音は全体的に良いものとなるし、演奏者が違和感を覚えることもなくなる。
また、この実施形態の特に低音部ハンマーヘッド３５Ｌは、そのハンマーシャンク３３よりも後側の部分が細くなっているので、ハンマーウッド３４の前後の長さが通常のハンマーウッド３４よりも多少長くとも、それが進行等するときに両隣の低音部ハンマーヘッド３５Ｌと干渉しにくい。
なお、この実施形態で説明したハンマー３２乃至ハンマーヘッド３５は、既存の例えば販売済みの或いは店舗にあるアップライトピアノの同部品に対して置換することが可能である。そうすることにより、既存のアップライトピアノの音を向上させることができる。この事情は第２実施形態におけるグランドピアノにおいても同様である。
【００４８】
≪第２実施形態≫
この実施形態では、ピアノがグランドピアノである場合の構成について説明する。
もっともこの実施形態におけるグランドピアノは、後述するそのハンマーヘッドにのみ特徴を有し、その構成を除いてすべて、従前のグランドピアノとその構成を同じくする。
それ故、本来であれば、上述の従前のグランドピアノとの相違点についての構成を除いて、グランドピアノの構成について説明を行うまでもないが、一応グランドピアノの全体的な構成についても説明を行う。
【００４９】
図７に、この実施形態におけるグランドピアノの概略的な平面図（ただし、屋根や梁等の記載は省略している。）を示す。この実施形態のグランドピアノはよく知られているように、横並びに配列された多数の鍵９１０を備えている。各鍵９１０は、それぞれが対応させられるアクションに含まれており、各鍵９１０に対応付けられた弦９９０をその鍵９１０が属するアクションに含まれた後述するハンマーによって打つようにされている。
グランドピアノは、その筐体９００の中に張り渡された弦９９０を備えている。グランドピアノの弦９９０には、これもよく知られているように交差弦の構成が採用されている。
弦９９０のうち、実線で示したのが低音部弦９９０Ｌである。低音部弦９９０Ｌは、演奏者から見て奥に向かうに連れてやや右側に向かうように斜めに張られている。弦９９０のうち点線で示したのが中高音部弦９９０Ｒである。中高音部弦９９０Ｒは、演奏者から見て奥に向かうに連れて左側に向かうように斜めに張られている。低音部弦９９０Ｌ、中高音部弦９９０Ｒはともに、水平に張り渡されており、前者が後者の上に位置する。低音部弦９９０Ｌと中高音部弦９９０Ｒとは、ハンマーで叩かれることのないその図７における上側の部分において交差している。
【００５０】
図８及び図９に多数の鍵９１０及びそれに組合せられたアクション９０１のうちの一組の鍵９１０及びアクション９０１を示す。なお、以下の説明における前後の概念は、第１実施形態に倣う。
アクション９０１は、鍵９１０に加え、いずれも公知のウィッペン９２０、レペティションレバー９２３、ハンマー９３２を有する。
多数の鍵９１０は、筬９１１の上に左右方向に並んでいる。鍵９１０の中央部には穴９１３が穿たれており、そこにバランスピン９１２が挿入されている。鍵９１０は、バランスピン９１２を支点としてその前後方向にシーソー運動が可能な状態でバランスピン９１２により支持されている。鍵９１０のバランスピン９１２により支持されている部分よりも前側に、キャプスタンスクリュー９１４が設けられている。キャプスタンスクリュー９１４は、鍵９１０の後方が演奏者により押し込まれることにより鍵９１０の前方が上がったときに、後述するウィッペン９２０を上方に押し上げるものである。鍵９１０の更に前方にはバックチェック９１５が設けられている。バックチェック９１５は、打鍵後に戻ってきたハンマー９３２のハンマーヘッド９３５を受け止めるものである。
【００５１】
ウィッペン９２０は、その下端にヒール９２１を備えている。ヒール９２１は、上述のキャプスタンスクリュー９１４の上に当接している。ウィッペン９２０は、ウィッペンフレンジ９６３に、ピン９７２によって軸支されることにより、ピン９７２を軸として回動できるようになっている。ウィッペンフレンジ９６３はウィッペンレール９６４に固定されている。ウィッペンレール９６４は長尺の部材であり、左右のブラケット９６２（図８と図９では、１つだけ図示）の間に架け渡され、グランドピアノを横断するようにして固定されている。
ウィッペン９２０の前後方向の中程の上側には、支柱状のレペティションレバーフレンジ９２２が設けられている。レペティションレバーフレンジ９２２は、レペティションレバー９２３との接続をなすためのものであり、その上端は、レペティションレバー９２３の前後方向の中間部分とピン９７３により接続されている。レペティションレバー９２３は、ピン９７３を軸としてレペティションレバーフレンジ９２２に対して回動可能となっている。
【００５２】
ウィッペン９２０の後端には、ジャック９２４が接続されている。ジャック９２４は、側面視略Ｌ字型の部材であり、その角の部分が、ピン９７４によりウィッペン９２０の後端に接続されている。ジャック９２４はピン９７４を軸として、ウィッペン９２０に対して回動可能となっている。ジャック９２４は、大ジャックとも呼ばれる長い突き上げ部９２５と、小ジャックとも呼ばれる短いジャックテール９２６とを有している。突き上げ部９２５の上端部が、レペティションレバー９２３の後端側に形成された、レペティションレバー９２３を上下方向で貫通する、レペティションレバー９２３の長さ方向にある程度の長さを持たせた細長い孔（図示を省略）の中に差し込まれている。静止状態では、ジャック９２４の突き上げ部９２５の上端は、レペティションレバー９２３に設けられた上述の細長い孔を貫通したうえで、後述するハンマーシャンクローラ９３９と当接した状態となるようになっている。
ウィッペン９２０、レペティションレバーフレンジ９２２、レペティションレバー９２３及びジャック９２４は、それらの全体が、ウィッペンフレンジ９６３を中心として一体になって回動する部品群を構成している。
【００５３】
ハンマー９３２は、弦９９０を打つためのものである。この実施形態におけるグランドピアノのハンマー９３２の構成は、従来のハンマーと同じで良く、この実施形態ではそうされている。また、グランドピアノのハンマー９３２の構成は、後述するハンマーローラを有する点を除いて、アップライトピアノのハンマーに同じである。
ハンマー９３２は、第１実施形態におけるアップライトピアノの場合と同様のハンマーシャンク９３３とハンマーウッド９３４と、ハンマーフェルト９３６とを有している。第２実施形態でも、第１実施形態と同じくハンマーウッド９３４とハンマーフェルト９３６とを併せたものがハンマーヘッド９３５である。
前述のハンマーシャンクローラ９３９は、ハンマーシャンク９３３の基端よりの部分の下側に取付けられている。ハンマーシャンクローラ９３９は、図８、図９において、時計回り及び反時計回りの双方向に回転自在とされたローラであり、後述のようにしてジャック９２４の突き上げ部９２５がハンマーシャンク９３３を上方に持ち上げる際において、突き上げ部９２５からハンマーシャンク９３３へかかる力を素早く開放するためのものである。ハンマーシャンクローラ９３９の幅は、レペティションレバー９２３に設けられた上述の細長い孔の幅よりも広く、アクション９０１が静止状態にあるときには、ハンマーシャンクローラ９３９の下面は、孔の両側部分で、レペティションレバー９２３の上面に当接している。
ハンマーシャンク９３３は、その後端部においてハンマーシャンクフレンジ９６５に取付けられている。かかる取付けは、ピン９７５を用いて行われている。ハンマーシャンク９３３は、ピン９７５を軸としてハンマーシャンクフレンジ９６５に対して回動可能にされている。ハンマーシャンクフレンジ９６５はハンマーシャンクレール９６６に固定されている。ハンマーシャンクレール９６６は左右のブラケット９６２の間に架け渡されて固定される長尺の部材である。
【００５４】
ハンマーシャンク９３３、ハンマーヘッド９３５及びハンマーシャンクローラ９３９を含むハンマー９３２が、ハンマーシャンクフレンジ９６５に対してピン９７５を中心として一体になって回動するようになっている。
【００５５】
ハンマーシャンク９３３の下方には、レペティションレバー９２３が位置している。鍵９１０が静止位置にあるとき、上述のハンマーシャンクローラ９３９がレペティションレバー９２３の上側に当たっている。
【００５６】
ハンマーシャンク９３３の先端側の下方であって、且つウィッペン９２０の前端部の上方には、ハンマーストップレール９６７が形成されている。ハンマーストップレール９６７は、左右のブラケット９６２の間に架け渡されることによりブラケット９６２に固定されている長尺の部材である。
弦９９０がハンマーヘッド９３５の上方に張られている。
【００５７】
次に、このグランドピアノの使用方法、及び動作について説明する。
先ず、鍵９１０が静止位置にある場合を説明する（図８を参照）。
鍵９１０の後端が押される前の状態では、鍵９１０の前端は最も下降した位置にある。このとき、ウィッペン９２０及びレペティションレバー９２３の前端は、それぞれ最も下降した位置にある。
このとき、ウィッペン９２０のヒール９２１がキャプスタンスクリュー９１４に当接し、キャプスタンスクリュー９１４を下向きに押圧している。
また、ハンマーシャンクローラ９３９は、その下面で、ジャック９２４の突き上げ部９２５の上端と、レペティションレバー９２３の上面とに当接している。
【００５８】
次に、演奏者が静止位置にある鍵９１０の後端を押した場合を図９を用いて説明する。
演奏者が静止位置にある鍵９１０の後端を押すと、鍵９１０の前端側が上昇する。そうすると、鍵９１０の前寄りの部分に設けられたキャプスタンスクリュー９１４が、それに当接しているヒール９２１を下から押し上げる。それにより、ウィッペン９２０の全体が、ピン９７２を軸として、ウィッペンフレンジ９６３に対して回動しつつ上昇する。ウィッペン９２０が反時計回りに回動しつつ上昇すると、それに伴いウィッペン９２０に設けられたレペティションレバーフレンジ９２２が回動しつつ上昇し、レペティションレバーフレンジ９２２に接続されたレペティションレバー９２３も回動しつつ上昇する。
そうすると、レペティションレバー９２３がハンマーシャンクローラ９３９を押し上げ、ジャック９２４の突き上げ部９２５がハンマーシャンクローラ９３９を突き上げる。ジャック９２４の突き上げ部９２５によるハンマーシャンクローラ９３９の突き上げにより、ハンマー９３２がハンマーシャンクフレンジ９６５に設けられたピン９７５を軸として、ハンマーシャンクフレンジ９６５に対して回動する。演奏者が引き続き鍵９１０を押し続けると、ジャック９２４は、ピン９７４を軸としてウィッペン９２０に対して時計回りに回動し、その結果ジャック９２４の突き上げ部９２５が、図９に示したように後方にずれてハンマーシャンクローラ９３９の下から外れる。ハンマーシャンクローラ９３９は、ハンマーシャンクローラ９３９の下からジャック９２４の突き上げ部９２５が素早く離脱するのを助ける。
【００５９】
その後もハンマー９３２は惰性で上方の弦９９０に向かって時計回りに回動する。ハンマー９３２が回動する過程で、ハンマーシャンクローラ９３９がレペティションレバー９２３から離れて、ハンマー９３２の動きが鍵９１０の動きから切り離される。そして、ハンマーヘッド９３５が弦９９０を打つ（図９を参照）。
ハンマーヘッド９３５が弦９９０を打った後、ハンマー９３２は直ちに反転し、重力に従い、回動しつつ下降する。そして、ハンマーシャンクローラ９３９がレペティションレバー９２３の上に当たり、ハンマーシャンクローラ９３９がレペティションレバー９２３を押し下げる。その後、ハンマーヘッド９３５はバックチェック９１５につかまって止まる。
【００６０】
演奏者が指を鍵９１０から離すと、ウィッペン９２０、レペティションレバー９２３及びハンマー９３２等の荷重が、ヒール９２１からキャプスタンスクリュー９１４に働き、鍵９１０の前端部が下降する。バックチェック９１５は鍵９１０の前端部と一緒に下降し、ハンマーヘッド９３５がバックチェック９１５から離れ、ハンマー９３２がさらに下降する。そして、ハンマーシャンク９３３がハンマーストップレール９６７に瞬間的に当たった後、ハンマー９３２が数ｍｍ上昇して止まり、鍵９１０が静止位置に戻る。ハンマーシャンク９３３がハンマーストップレール９６７に瞬間的に当たるとき、ハンマー９３２は最も下降した位置にある。
これにより、アクション９０１は、図８に示した静止状態に戻り、同じ鍵９１０を再度打鍵できるようになる。
【００６１】
以上説明したのは、極普通のグランドピアノの構成であり、その使用方法及び動作である。
以下、この実施形態のグランドピアノの従前のグランドピアノとは異なる構成を有する部分であるそのハンマーヘッド９３５について、詳しく説明する。
グランドピアノのハンマーヘッド９３５は、概ねアップライトピアノのハンマーヘッド３５と同様に構成される。グランドピアノのハンマーヘッド９３５は、上述の低音部弦９９０Ｌを叩く低音部ハンマーヘッドも、上述の中高音部弦９９０Ｒを叩く中高音部ハンマーヘッドも、第１実施形態におけるハンマーウッド３４と同じように構成されるハンマーウッド９３４と、第１実施形態におけるハンマーフェルト３６と同じように構成されるハンマーフェルト９３６とを備えている。
また、グランドピアノのハンマーヘッド９３５は、図示を省略するが、低音部ハンマーヘッドにおいても、中高音部ハンマーヘッドにおいても、その長手方向の長さは一致するようになっている。グランドピアノのハンマーヘッド９３５中のハンマーウッド９３４は、低音側から高音側に向けて徐々に長くなるようになっており、他方ハンマーヘッド９３５中のハンマーフェルト９３６は低音側から高音側に向けて徐々にその量が少なくなるようになっている。これらの点も第１実施形態と同様である。
グランドピアノにおけるハンマーウッド９３４の形状は、第１実施形態のハンマーウッド３４と同様に、従来のハンマーウッドと同じようにすることもできるし、従来のハンマーウッドとは若干異なる形状とすることもできる。
【００６２】
以上説明したハンマーウッド９３４及びハンマーフェルト９３６からなるハンマーヘッド９３５に、ハンマーシャンク９３３が接続される。
第１実施形態のアップライトピアノの低音部ハンマーヘッド３５Ｌでは、その底面のハンマーウッド３４のハンマーフェルト３６で覆われた部分のすぐ後側に、ハンマーシャンク３３が接続された。他方、第２実施形態のグランドピアノでは、ハンマーヘッド９３５のうち、その中高音音部ハンマーヘッドにおいて、その底面のハンマーウッド９３４のハンマーフェルト９３６で覆われた部分のすぐ後側に、ハンマーシャンク９３３が接続される。
また、第１実施形態のアップライトピアノの中高音部ハンマーヘッド３５Ｒは、その底面の低音部ハンマーヘッド３５Ｌの場合よりも後ろ寄りの位置に、ハンマーシャンク３３が接続された。他方、第２実施形態のグランドピアノでは、ハンマーヘッド９３５のうち、その低音音部ハンマーヘッドに対して、その底面の高音部ハンマーヘッドの場合よりも後ろ寄りの位置に、ハンマーシャンク９３３が接続される。
つまり、第１実施形態と第２実施形態とでは、ハンマーシャンク３３、９３３が接続される位置が、低音部ハンマーヘッドと中高音部ハンマーヘッドとで逆になっている。
これは、アップライトピアノとグランドピアノで、低音部弦９０Ｌ、９９０Ｌと、中高音部弦９０Ｒ、９９０Ｒとの位置関係が逆転しているからである。つまり、ハンマー３２、９３２の軌道方向で見た場合、アップライトピアノでは、低音部弦９０Ｌが中高音部弦９０Ｒよりもハンマー３２から近い側にあり、グランドピアノでは、低音部弦９９０Ｌが中高音部弦９９０Ｒよりも遠い側にあるからである。
第２実施形態では、ハンマーシャンク９３３が接続される位置を、低音部ハンマーヘッドと中高音部ハンマーヘッドとで、第１実施形態の場合と逆転させることにより、低音部ハンマーヘッドの先端が、低音部弦９９０Ｌに平行に一列に揃い、中高音部ハンマーヘッドの先端が、中高音部弦９９０Ｒに平行に一列に揃い、且つ低音部ハンマーヘッドの先端から低音部弦９９０Ｌまでの距離と、高音部ハンマーヘッドの先端から高音部弦９９０Ｒまでの先端までの距離とが等しい、という第１実施形態と同じ状態が、第２実施形態でも作られることになる。
他方、低音部ハンマーヘッドの前端は、中高音部ハンマーヘッドよりも幾らか上に上がった状態となり、これは弦との位置関係（弦との遠近）で言えば、第１実施形態と逆の関係になる。
なお、グランドピアノの場合には、低音部ハンマーヘッドも中高音部ハンマーヘッドも、ハンマーウッド９３４の底面に垂直に取付けられるのが通常である。
【符号の説明】
【００６３】
３２  ハンマー
３３  ハンマーシャンク
３４  ハンマーウッド
３５  ハンマーヘッド
３５Ｌ  低音部ハンマーヘッド
３５Ｒ  中高音部ハンマーヘッド
３６  ハンマーフェルト
９０  弦
９０Ｌ  低音部弦
９０Ｒ  中高音部弦
９３２  ハンマー
９３３  ハンマーシャンク
９３４  ハンマーウッド
９３５  ハンマーヘッド
９３６  ハンマーフェルト
９９０  弦
９９０Ｌ  低音部弦
９９０Ｒ  中高音部弦
【図１】
0006646904.tif 000002
【図２】
0006646904.tif 000003
【図３】
0006646904.tif 000004
【図４（Ａ）】
0006646904.tif 000005
【図４（Ｂ）】
0006646904.tif 000006
【図４（Ｃ）】
0006646904.tif 000007
【図５】
0006646904.tif 000008
【図６】
0006646904.tif 000009
【図７】
0006646904.tif 000010
【図８】
0006646904.tif 000011
【図９】
0006646904.tif 000012
【図１０】
0006646904.tif 000013